(57)【要約】【課題】認証に要する時間を短縮しつつ、携帯機が複数存在する場合は各携帯機からの返信信号が混信するのを防止したキーレスシステムを提供する。【解決手段】携帯機１の無線通信部３が起動信号を受信すると、制御部４が起動信号に含まれるＩＤ情報と、自己の固有ＩＤ又は全ての携帯機を対象とするグローバルＩＤとを比較し、一致した場合は無線通信部３から識別情報を送信させる。電気錠装置１０は、送信対象の携帯機１のＩＤ情報を含む起動信号を送信するとともに、携帯機１から返送された識別情報を受信する無線通信部１３と、トリガ入力があると先ず最初にグローバルＩＤを含む起動信号を無線通信部１３から送信させ、この起動信号に応じて何れかの携帯機１から正しい識別情報が返送されず、認証が成立しなければ、各携帯機１に対して所定の送信順序で固有ＩＤを含む起動信号を送信させる制御部１５とを備えている。【選択図】図１
2008150836.tif 000002
【特許請求の範囲】
【請求項１】
それぞれ固有ＩＤが割り当てられた複数の携帯機と、携帯機に対して識別情報の返送を要求し、携帯機から返送された識別情報の認証に成功すると錠の施解錠を行う電気錠装置とを具備し、
携帯機は、電気錠装置との間で無線通信を行う第１の無線通信手段と、第１の無線通信手段の受信した起動信号に含まれるＩＤ情報が自己の固有ＩＤ又は全携帯機を対象としたグローバルＩＤの何れかに一致した場合、第１の無線通信手段から識別情報を送信させる第１の通信制御手段とを備えるとともに、
電気錠装置は、複数の携帯機の固有ＩＤが予め登録された記憶手段と、送信対象の携帯機の固有ＩＤ又はグローバルＩＤの何れかを含む起動信号を無線信号により送信させるとともに、起動信号に応じて携帯機から返送された識別情報を受信する第２の無線通信手段と、第２の無線通信手段の受信した識別情報が正しい信号であれば錠の施解錠を行う認証手段と、トリガ入力があると、グローバルＩＤを含む起動信号を第２の無線通信手段から送信させるとともに、グローバルＩＤを含む起動信号の送信に応じて認証が成立しなければ、複数の携帯機に対して所定の送信順序で固有ＩＤを含む起動信号を第２の無線通信手段から送信させる第２の通信制御手段とを備えて成ることを特徴とするキーレスシステム。
【請求項２】
前記電気錠装置に、前記記憶手段にＩＤが登録された個々の携帯機に使用頻度に応じた重みをもたせ、少なくとも重みが最も大きい携帯機について起動信号の送信回数を重みの小さい携帯機よりも増やすよう各携帯機毎の送信回数を設定する送信回数設定手段を設け、前記第２の通信制御手段は、送信対象の携帯機の固有ＩＤを含む起動信号を第２の無線通信手段から送信させるに当たり、複数の携帯機に所定の送信順序で前記送信回数設定手段により設定された送信回数ずつ起動信号を送信させることを特徴とする請求項１記載のキーレスシステム。
【請求項３】
前記第２の通信制御手段は、送信対象の携帯機の固有ＩＤを含む起動信号を第２の無線通信手段から送信させるに当たり、固有ＩＤを含む起動信号を前記送信順序にしたがって送信させる処理を、識別情報の認証に成功するまで１乃至複数回実行しており、１巡目は各携帯機への起動信号の送信回数を前記送信回数設定手段で設定された送信回数とし、２巡目以降は各携帯機への起動信号の送信回数を１回ずつとしたことを特徴とする請求項２記載のキーレスシステム。
【請求項４】
前記電気錠装置に、前記送信順序を決定する送信順序決定手段を設け、当該送信順序決定手段は、前回認証時に使用された携帯機を送信順序の１番目とし、その他の携帯機については前回の送信順序の早い順番に並べ替えることを特徴とする請求項１乃至３の何れか１項に記載のキーレスシステム。
【請求項５】
前記電気錠装置に、前記送信順序を決定する送信順序決定手段を設け、当該送信順序決定手段は、直前の複数回の認証において使用回数の最も多い携帯機を送信順序の１番目とし、その他の携帯機については前回の送信順序の早い順番に並べ替えることを特徴とする請求項１乃至３の何れか１項に記載のキーレスシステム。
【請求項６】
前記電気錠装置に、複数の携帯機の使用状況に応じて前記送信順序を決定する送信順序決定手段を設け、当該送信順序決定手段により送信順序が変更されると、前記第２の通信制御手段は、変更後の送信順序が１番目の携帯機から所定回数連続して識別情報が返送されるまでは送信順序が１番目の携帯機の送信回数を１回とし、送信順序が１番目の携帯機から所定回数連続して識別情報が返送された場合は送信順序が１番目の携帯機の送信回数を送信回数設定手段で設定された回数とすることを特徴とする２乃至５の何れか１項に記載のキーレスシステム。
【発明の詳細な説明】
【技術分野】
【０００１】
本発明は、自動車や自動二輪車や住宅等に設けた錠の施錠・解錠に用いられるキーレスシステムに関するものである。
【背景技術】
【０００２】
従来、自動車等のドアの施錠、解錠を制御するシステムとして、無線通信機能を有する携帯機から送信された信号を自動車に搭載された車載無線装置で受信して、携帯機から送信された識別情報が、車載無線装置に予め登録された識別情報と一致すると、ドアに設けた錠の施錠、解錠を行うようにしたものがあった。
【０００３】
このようなキーレスシステムにおいて、複数個の携帯機を使用する場合、車載無線装置の通信エリア内に複数個の携帯機が存在すると各携帯機からの返送信号が混信して、誤動作の発生する虞があった。そこで、返送信号の混信を防止するために、複数個の携帯機に個別のＩＤを付与し、車載無線装置がＩＤ情報を含む起動信号を所定の送信順序で送信する動作を複数回繰り返し、ＩＤが一致した携帯機のみが識別情報を返送するようにしたシステムが提案されている。
【特許文献１】特開２００２−１８８３４０号公報
【発明の開示】
【発明が解決しようとする課題】
【０００４】
上述のキーレスシステムでは、車載無線装置の通信エリア内に複数個の携帯機が存在する場合でも携帯機からの返信信号が混信することはないが、送信順序の最後の方の携帯機が存在する場合には、認証が成立するまでに比較的長い時間を要し、使い勝手が悪いという問題があった。
【０００５】
本発明は上記問題点に鑑みて為されたものであり、その目的とするところは、認証に要する時間を短縮しつつ、携帯機が複数存在する場合は各携帯機からの返信信号が混信するのを防止したキーレスシステムを提供することにある。
【課題を解決するための手段】
【０００６】
上記目的を達成するために、請求項１の発明は、それぞれ固有ＩＤが割り当てられた複数の携帯機と、携帯機に対して識別情報の返送を要求し、携帯機から返送された識別情報の認証に成功すると錠の施解錠を行う電気錠装置とを具備し、携帯機は、電気錠装置との間で無線通信を行う第１の無線通信手段と、第１の無線通信手段の受信した起動信号に含まれるＩＤ情報が自己の固有ＩＤ又は全携帯機を対象としたグローバルＩＤの何れかに一致した場合、第１の無線通信手段から識別情報を送信させる第１の通信制御手段とを備えるとともに、電気錠装置は、複数の携帯機の固有ＩＤが予め登録された記憶手段と、送信対象の携帯機の固有ＩＤ又はグローバルＩＤの何れかを含む起動信号を無線信号により送信させるとともに、起動信号に応じて携帯機から返送された識別情報を受信する第２の無線通信手段と、第２の無線通信手段の受信した識別情報が正しい信号であれば錠の施解錠を行う認証手段と、トリガ入力があると、グローバルＩＤを含む起動信号を第２の無線通信手段から送信させるとともに、グローバルＩＤを含む起動信号の送信に応じて認証が成立しなければ、複数の携帯機に対して所定の送信順序で固有ＩＤを含む起動信号を第２の無線通信手段から送信させる第２の通信制御手段とを備えて成ることを特徴とする。
【０００７】
請求項２の発明は、請求項１の発明において、電気錠装置に、記憶手段にＩＤが登録された個々の携帯機に使用頻度に応じた重みをもたせ、少なくとも重みが最も大きい携帯機について起動信号の送信回数を重みの小さい携帯機よりも増やすよう各携帯機毎の送信回数を設定する送信回数設定手段を設け、第２の通信制御手段は、送信対象の携帯機の固有ＩＤを含む起動信号を第２の無線通信手段から送信させるに当たり、複数の携帯機に所定の送信順序で送信回数設定手段により設定された送信回数ずつ起動信号を送信させることを特徴とする。
【０００８】
請求項３の発明は、請求項２の発明において、第２の通信制御手段は、送信対象の携帯機の固有ＩＤを含む起動信号を第２の無線通信手段から送信させるに当たり、固有ＩＤを含む起動信号を送信順序にしたがって送信させる処理を、識別情報の認証に成功するまで１乃至複数回実行しており、１巡目は各携帯機への起動信号の送信回数を送信回数設定手段で設定された送信回数とし、２巡目以降は各携帯機への起動信号の送信回数を１回ずつとしたことを特徴とする。
【０００９】
請求項４の発明は、請求項１乃至３の何れか１項の発明において、電気錠装置に、送信順序を決定する送信順序決定手段を設け、当該送信順序決定手段は、前回認証時に使用された携帯機を送信順序の１番目とし、その他の携帯機については前回の送信順序の早い順番に並べ替えることを特徴とする。
【００１０】
請求項５の発明は、請求項１乃至３の何れか１項の発明において、電気錠装置に、送信順序を決定する送信順序決定手段を設け、当該送信順序決定手段は、直前の複数回の認証において使用回数の最も多い携帯機を送信順序の１番目とし、その他の携帯機については前回の送信順序の早い順番に並べ替えることを特徴とする。
【００１１】
請求項６の発明は、請求項２乃至５の何れか１項の発明において、電気錠装置に、複数の携帯機の使用状況に応じて送信順序を決定する送信順序決定手段を設け、当該送信順序決定手段により送信順序が変更されると、第２の通信制御手段は、変更後の送信順序が１番目の携帯機から所定回数連続して識別情報が返送されるまでは送信順序が１番目の携帯機の送信回数を１回とし、送信順序が１番目の携帯機から所定回数連続して識別情報が返送された場合は送信順序が１番目の携帯機の送信回数を送信回数設定手段で設定された回数とすることを特徴とする。
【発明の効果】
【００１２】
請求項１の発明によれば、電気錠装置の第２の通信制御手段は、トリガ入力があると、第２の無線通信手段からグローバルＩＤを含む起動信号を送信させているので、無線通信手段の通信可能範囲に携帯機が１台しか存在しない場合には、この携帯機がグローバルＩＤを含む起動信号を受信し、第１の通信制御手段が起動信号に応じて識別信号を第１の無線通信手段から返送させているので、電気錠装置の認証手段が携帯機から返送された識別情報の認証を行うことで、認証に要する時間を短縮できるという効果がある。しかも、グローバルＩＤを含む起動信号の送信に応じて認証が成立しなかった場合、第２の通信制御手段は、複数の携帯機に対して所定の送信順序で固有ＩＤを含む起動信号を第２の無線通信手段から送信させているので、通信可能範囲に携帯機が複数台存在する場合には、各携帯機へ個別に起動信号を送信して、起動信号に応じた識別信号を返送させることで、混信を起こすことなく、携帯機から返送された識別信号を確実に受信して、認証を行うことができるという効果もある。
【００１３】
請求項２の発明によれば、電気錠装置の送信回数設定手段が、記憶手段にＩＤが登録された個々の携帯機に使用頻度に応じた重みをもたせ、少なくとも重みが最も大きい携帯機の送信回数を重みの小さい携帯機よりも増やすように各携帯機毎の送信回数を設定しているので、少なくとも使用頻度が最も高い携帯機に対しては起動信号の送信回数を増やすことができる。したがって、使用される確率の高い携帯機に起動信号を送信する送信回数を増やすことで、通信環境の不安定な場所で使用する場合でも、携帯機と電気錠装置との間で起動信号或いは識別情報の授受に成功する確率を高めることができ、通信の不安定性を補うことができるという効果がある。
【００１４】
請求項３の発明によれば、１巡目は各携帯機への起動信号の送信回数を送信回数設定手段で設定された送信回数としており、少なくとも使用頻度が最も高い携帯機には起動信号の送信回数を増やすことができるので、通信環境の不安定な場所で使用する場合でも、携帯機と電気錠装置との間で起動信号或いは識別情報の授受に成功する確率を高めることができ、通信の不安定性を補うことができるという効果がある。また、１巡目の送信を終わって、何れの携帯機からも識別情報が返送されなかった場合、少なくとも使用頻度が最も高い携帯機には送信機会が複数回あったにも関わらず、識別情報が返送されなかったので、この携帯機は電気錠装置と通信可能な範囲内に存在しない可能性が高く、したがって第２の通信制御手段は、２巡目以降、各携帯機への起動信号の送信回数を１回ずつとすることによって、各携帯機に起動信号を送信する処理を１巡するのにかかる時間を短縮できるという効果がある。
【００１５】
請求項４の発明によれば、送信順序決定手段が、前回認証時に使用された携帯機の送信順序を１番目とし、その他の携帯機については前回の送信順序の早い順番に並べ替えており、前回使用された携帯機の送信順序を早い順番とすることで、同じ携帯機を続けて使用する場合には携帯機の認証にかかる時間を短縮できるという効果がある。また、前回の認証時とは異なる携帯機が使用された場合でも、この携帯機の送信順序が１番目に変更されるので、この携帯機を次回以降使用する場合は、次回以降認証にかかる時間を短縮できるという効果もある。
【００１６】
請求項５の発明によれば、送信順序決定手段が、直前の複数回の認証において使用回数の最も多い携帯機を送信順序の１番目とし、その他の携帯機については前回の送信順序の早い順番に並べ替えており、最近、最も高い頻度で使用された携帯機の送信順序を１番目に並べ替えることで、使用頻度の高い携帯機を続けて使用する場合には携帯機の認証にかかる時間を短縮できるという効果がある。また、認証に用いる携帯機が１回変更されただけでは、起動信号の送信順序が変更されないので、例えば複数の利用者がそれぞれ携帯機を所持している場合には、使用頻度の高い利用者が所持している携帯機の送信順序を早めて、認証にかかる時間を短縮できるという効果もある。
【００１７】
請求項６の発明によれば、送信順序設定手段により送信順序が変更された場合でも、第２の通信制御手段では、送信順序が１番の携帯機から所定回数連続して識別情報が返送されるまでは、送信順序が１番目の携帯機の送信回数を１回としているので、送信順序の１番目の携帯機が頻繁に変更される場合（つまり使用される携帯機が頻繁に変更される場合）には、送信順序が１番目の携帯機に他の携帯機に優先して起動信号を送信しつつ、送信順序が１番目の携帯機の送信回数を１回とすることで、他の携帯機に起動信号が送信されるまでの時間を短縮できるという効果がある。
【発明を実施するための最良の形態】
【００１８】
以下に、本発明に係るキーレスシステムを自動二輪車の施錠・解錠用に適用した一実施形態について図１〜図４に基づいて説明する。尚、本発明に係るキーレスシステムの用途を自動二輪車の施解錠に限定するものではなく、自動車や住宅等のドアに設けた錠の施錠・解錠を行うシステムに適用しても良いことは言うまでもない。
【００１９】
図１はキーレスエントリシステムの概略構成を示すブロック図であり、それぞれ固有ＩＤが割り当てられ、自動二輪車の搭乗者が携帯して施錠・解錠に用いる複数の携帯機１と、携帯機１に対して識別情報の返送を要求し、携帯機から返送された識別情報の認証に成功すると、例えばエンジンの始動やトランクの開閉などをロックするロック機構１４の施解錠を行う電気錠装置１０とで構成されている。尚、図１では携帯機１を１つしか図示していないが、実際には電気錠装置１０に複数の携帯機１が登録されて、施錠・解錠操作に使用される。
【００２０】
携帯機１は、複数の携帯機１を個別に呼び出すために各携帯機１に割り当てられた固有ＩＤや全ての携帯機１を対象にしたグローバルＩＤや認証のための識別情報を含むデータを記憶する不揮発性のメモリ２と、電気錠装置１０から送信されたＬＦ波を受信するとともに応答信号としてＲＦ波を返送することによって電気錠装置１０との間で無線通信を行う無線通信部（第１の無線通信手段）３と、無線通信部３の受信した起動信号に含まれるＩＤ情報が自己の固有ＩＤ又はグローバルＩＤの何れかに一致した場合、第１の無線通信手段から識別情報を送信させる制御部（第１の通信制御手段）４とを備えている。ここに、制御部４は例えばマイクロコンピュータにより構成される。なお、携帯機１の通信可能範囲は、携帯機１を携帯した搭乗者が自動二輪車の近傍にいる時のみエンジンの始動やトランクのロック解除が可能なように１〜２ｍ程度に設定されている。
【００２１】
一方、電気錠装置１０は、例えば自動二輪車のハンドル付近に設けられ、押操作に応じてトリガ信号を発生するアクセススイッチ１１と、複数の携帯機１に個別に割り当てた固有ＩＤ、全携帯機１を対象とするグローバルＩＤ、各携帯機１に登録された識別情報、起動信号の送信順序や携帯機毎の送信回数などのデータを記憶する不揮発性のメモリ１２と、ＩＤ情報を含む起動信号をＬＦ波により送信するとともに、起動信号に応じて携帯機１からＲＦ波により返送された識別情報を受信する無線通信部（第２の無線通信手段）１３と、自動二輪車のエンジンの始動やトランクの開閉などをロックするロック機構１４と、例えばマイクロコンピュータからなり電気錠装置１０の全体を制御する制御部１５とを備えている。
【００２２】
このキーレスシステムの動作を図２（ａ）（ｂ）のフロー図を参照して説明する。尚、図２（ａ）は電気錠装置１０の動作を説明するフロー図、同図（ｂ）は携帯機１の動作を説明するフロー図である。
【００２３】
自動二輪車の搭乗者が、電気錠装置１０に予め登録されている携帯機１を所持して自動二輪車に近づき、アクセススイッチ１１を押操作すると、アクセススイッチ１１から制御部１５にトリガ入力が与えられる（図２のステップＳ１）。第２の通信制御手段たる制御部１５は、アクセススイッチ１１からトリガ信号が入力されると、通信対象の携帯機１を決定し（ステップＳ２）、通信対象の携帯機１のＩＤ情報を含む起動信号を作成して、この起動信号を無線通信部１３からＬＦ波で送信させる（ステップＳ３）。ここで、制御部１５では、トリガ信号が入力されると、先ず全ての携帯機１を対象にしたグローバルＩＤを含む起動信号を送信させ、グローバルＩＤを含む起動信号の送信に応じた認証が成立しなければ、その後、複数の携帯機１に対して所定の送信順序で通信相手の携帯機１の固有ＩＤを含む起動信号を送信させるようになっている。
【００２４】
携帯機１では、無線通信部３が電気錠装置１０からＬＦ波で送信された起動信号を受信すると（ステップＳ１１）、制御部４が、起動信号に含まれるＩＤ情報（グローバルＩＤ又は固有ＩＤ）と、メモリ２に登録された自己の固有ＩＤとを比較する（ステップＳ１２）。ここで、受信したＩＤ情報が自己の固有ＩＤ又はグローバルＩＤの何れかに一致していれば、制御部４は、メモリ２から読み込んだ識別情報を応答信号として無線通信部３からＲＦ波により送信させ（ステップＳ１３）、一致していなければ応答信号の返送は行わない（ステップＳ１４）。
【００２５】
電気錠装置１０の制御部１５は、ステップＳ３で起動信号を送信してから所定時間が経過するまでの間に、携帯機１から応答信号を受信したか否かを判断する（ステップＳ４）。所定時間内に応答信号を受信できれば、認証手段たる制御部１５が、応答信号に含まれる識別情報と、メモリ１２に予め登録された識別情報とを比較する（ステップＳ５）。ここで、応答信号に含まれる識別情報がメモリ１２に登録された識別情報と一致していれば、制御部４は、ロック機構１４に解錠命令を出力して、ロック機構１４を解錠させ、エンジンの始動操作やトランクの開放操作を可能にする（ステップＳ６）。一方、ステップＳ４において所定時間内に応答信号を受信できなかったり、ステップＳ５において識別情報の認証が不成立だった場合、制御部４は、メモリ１２から読み込んだ送信順序や携帯機毎の送信回数に基づいて、次に送信する携帯機１の固有ＩＤを決定し、通信対象の携帯機１の固有ＩＤを含む起動信号を作成して、この起動信号を無線通信部１３からＬＦ波で送信させた後（ステップＳ７）、上述したステップＳ４の処理に移行する。
【００２６】
以上の動作をまとめると電気錠装置１０は図３のフロー図に示すような動作を行う。尚、図３のフロー図は複数台の携帯機１ａ〜１ｎに１回ずつ起動信号を送信する場合の動作を示している。電気錠装置１０では、トリガ入力（ロック解除要求）があると（ステップＳ２１）、全ての携帯機１ａ〜１ｎを通信対象とするグローバルＩＤを含む起動信号を送信し（ステップＳ２２）、何れかの携帯機１ａ〜１ｎからの応答信号を所定時間内に受信できたか否かを判断する（ステップＳ２３）。所定時間内に応答信号を受信できれば、電気錠装置１０が返送された識別情報の認証を行い（ステップＳ２４）、認証に成功すればロック機構１４を解除する（ステップＳ２５）。
【００２７】
一方、ステップＳ２３で所定時間内に応答信号を受信できなかったり、ステップＳ２４で認証に失敗した場合、電気錠装置１０は、予め設定された送信順序に従い送信順序が１番目の携帯機１ａに起動信号を送信し（ステップＳ２６）、携帯機１ａからの応答信号を所定時間内に受信できたか否かを判断する（ステップＳ２７）。ここで、所定時間内に応答信号を受信できれば、電気錠装置１０が携帯機１ａから返送された識別情報の認証を行い（ステップＳ２８）、認証に成功すればロック機構１４を解除する（ステップＳ２５）。一方、ステップＳ２７で所定時間内に応答信号を受信できなかったり、ステップＳ２８で認証に失敗した場合、電気錠装置１０は、送信順序が２番目の携帯機に起動信号を送信する。
【００２８】
その後、送信順序が最後の携帯機１ｎの順番が来るまで起動信号に対する応答信号を受信できなかった場合、電気錠装置１０は、送信順序が最後の携帯機１ｎに起動信号を送信し（ステップＳ２９）、携帯機１ｎからの応答信号を所定時間内に受信できたか否かを判断する（ステップＳ３０）。ここで、所定時間内に応答信号を受信できれば、電気錠装置１０が携帯機１ｎから返送された識別情報の認証を行い（ステップＳ３１）、認証に成功すればロック機構１４を解除する（ステップＳ２５）。一方、ステップＳ３０で所定時間内に応答信号を受信できなかったり、ステップＳ３１で認証に失敗した場合、電気錠装置１０は、起動信号を１巡送信する間に携帯機１からの応答が無かったと判断し（ステップＳ３２）、現在までの巡回送信（所定の送信順序で１巡して送信する送信動作）の回数が規定値（例えば５回）に達したか否かを判定する（ステップＳ３３）。ここで、電気錠装置１０では、巡回送信の回数が５回未満であれば、ステップＳ２２に戻って上記の処理を繰り返し、巡回送信の回数が５回に達していれば、ロック機構１４のロック状態を継続して処理を終了する（ステップＳ３４）。
【００２９】
本実施形態の電気錠装置１０は上述のような動作を行うものであり、電気錠装置１０の制御部１５は、トリガ入力があると、無線通信部１３からグローバルＩＤを含む起動信号を送信させているので、無線通信部１３の通信可能範囲に携帯機１が１台しか存在しない場合には、この携帯機１がグローバルＩＤを含む起動信号を受信し、第１の通信制御手段が起動信号に応じて識別信号を第１の無線通信手段から返送させているので、電気錠装置の認証手段が携帯機から返送された識別情報の認証を行うことで、認証に要する時間を短縮できるという効果がある。
【００３０】
また電気錠装置１０の通信可能範囲内に複数台の携帯機１が存在した場合は、グローバルＩＤを含む起動信号の送信に応じて複数台の携帯機１から識別信号が返送されるため、混信が発生して通信エラーとなってしまい、認証に失敗するのであるが、グローバルＩＤを含む起動信号の送信に応じて認証が成立しなかった場合、制御部１５では、複数の携帯機１に対して所定の送信順序で固有ＩＤを含む起動信号を無線通信部１３から送信させているので、各携帯機１へ個別に起動信号を送信し、起動信号に応じて識別信号を返送させることで、混信を起こすことなく、携帯機１から返送された識別信号を確実に受信して、認証を行うことができるという効果もある。尚、電気錠装置１０の通信可能範囲内に複数の携帯機１が存在する確率は、通信可能範囲内に携帯機が１台しか存在しない確率よりも小さいので、トリガ入力に応じて先ず最初にグローバルＩＤを含む起動信号を送信することで、携帯機１の認証を短時間で成立させることができる。
【００３１】
ところで、周囲の電波環境が不安定なために、電気錠装置１０から送信された起動信号を通信対象の携帯機１が受信できなかったり、通信対象の携帯機１から起動信号に応じて返送された識別情報を電気錠装置１０が受信できないといった通信エラーが発生した場合、通信対象の携帯機１へ次回起動信号が送信されるのは、他の全ての携帯機１に起動信号を送信した後になるので、携帯機１の認証に成功してロック機構１４のロックを解除させるまでに比較的長い時間が必要になっていた。
【００３２】
そこで、本実施形態の電気錠装置１０では、送信回数設定手段たる制御部１５が、メモリ１２に固有ＩＤが登録された個々の携帯機１に使用頻度に応じた重み付けを行うとともに、重みが大きいほど送信回数が多くなるように各携帯機１毎に送信回数を設定してあり、優先順位の高い（すなわち使用される頻度の高い）携帯機１については起動信号の送信回数を増やしているので、通信エラーが発生した場合でも起動信号が再度送信されるまでの時間が短縮されるから、携帯機１の認証に成功してロック機構１４を解錠させるまでの時間を短縮することができる。
【００３３】
例えば電気錠装置１０のメモリ１２に、４台の携帯機１ａ，１ｂ，１ｃ，１ｄの固有ＩＤが登録されている場合に、表１に示すように最近１０回の解錠時に使用された回数が携帯機１ａは６回、携帯機１ｂは３回、携帯機１ｃは１回、携帯機１ｄは０回であれば、制御部１５は、使用頻度に応じて携帯機１ａ＞携帯機１ｂ＞携帯機１ｃ＞携帯機１ｄの順番で重み付けを行い、重み付けの結果に基づいて１巡当たりの送信回数を携帯機１ａは３回、携帯機１ｂは２回、携帯機１ｃ，１ｄは共に１回ずつとしている。尚、制御部１５では、起動信号の送信を１巡する間に全ての携帯機１ａ〜１ｄに少なくとも１回ずつ起動信号が送信されるよう、各携帯機１ａ〜１ｄの送信回数を設定している。
【００３４】
【表１】
2008150836.tif 000003
【００３５】
このように、電気錠装置１０の制御部１５が、最も使用頻度の高い携帯機１ａの送信回数を３回、２番目に使用頻度の高い携帯機１ｂの送信回数を２回とし、使用頻度の低い携帯機１ｃ，１ｄの送信回数は１回ずつに設定してあり、頻繁に使用される携帯機１の重みを重くすることで、電波環境が不安定な場合でも、起動信号を１巡送信する間に、重み付けを重くした携帯機１ａ，１ｂとの間で通信に成功する確率を高めて、通信の不安定性を補うことができる。
【００３６】
また、最近１０回の解錠時に使用された回数が表２に示すように携帯機１ａ，１ｂが共に５回、携帯機１ｃ，１ｄが共に０回であれば、制御部１５では、携帯機１ａ，１ｂの重みを重く、携帯機１ｃ，１ｄの重みを軽くするとともに、重み付けの結果に基づいて１巡当たりの送信回数を携帯機１ａ，１ｂは共に３回ずつ、携帯機１ｃ，１ｄは共に１回ずつとしている。この場合も使用頻度の高い携帯機１ａ，１ｂの重みを重くすることで、電波環境が不安定な場所で使用されたとしても、起動信号を１巡送信する間に、重み付けを重くした携帯機１ａ，１ｂとの間で通信に成功する確率を高めて、通信の不安定性を補うことができる。
【００３７】
【表２】
2008150836.tif 000004
【００３８】
尚、本実施形態の電気錠装置１０では、アクセススイッチ１１が押された場合にどの携帯機１が周囲に存在するのか不明なため、登録されている携帯機１ａ〜１ｄの中で最も重みの小さい携帯機１ｃ，１ｄでも、起動信号の送信を１巡する間に少なくとも１回は起動信号が送信されるように各携帯機１ａ〜１ｄ毎の送信回数を設定している。
【００３９】
ここで、電気錠装置１０の制御部１５は、トリガ入力があると無線通信部１３から複数の携帯機１ａ…に対して所定の送信順序で起動信号を送信させる巡回送信処理を、識別情報の認証に成功するまで１乃至複数回（本実施形態では最大５回）実行するのであるが、１巡目は各携帯機１ａ…への起動信号の送信回数を、各携帯機１ａ…の重みに基づいて設定した送信回数とし、２巡目以降は各携帯機１ａ…への起動信号の送信回数を１回ずつにしても良い。この場合、１巡目は各携帯機１ａ…への起動信号の送信回数を、各携帯機１ａ…の重みに基づいて設定された送信回数とすることで、使用頻度の高い携帯機１ａ…に対しては起動信号の送信回数を増やすことができ、電気錠装置１０との間で起動信号或いは識別情報の授受を確実に行えるという効果がある。また１巡目の送信を終わって、何れの携帯機１ａ…からも識別情報が返送されなかった場合、使用頻度の高い携帯機１ａ…には送信機会が複数回あったにも関わらず、識別情報が返送されなかったので、重みの大きい携帯機１ａ…は電気錠装置１０と通信可能な範囲内に存在しない可能性が高く、重みの大きい携帯機が通信圏内に存在する可能性と、重みの小さい携帯機が通信圏内に存在する可能性とは同程度と予想される。したがって、電気錠装置１０の制御部１５が、２巡目以降、各携帯機１ａ…への起動信号の送信回数を１回ずつとすることによって、起動信号の送信を１巡するのに要する時間を短縮して、認証に要する時間を短縮できるという効果がある。なお本実施形態では、送信回数設定手段としての制御部１５が、表１及び表２に示すように使用頻度の高い（重みの大きい）携帯機１ほど送信回数が多くなるように各携帯機毎の送信回数を設定しているが、使用頻度が最も高い（重みが最も大きい）携帯機１のみ送信回数を複数回とするように各携帯機毎の送信回数を設定しても良く、少なくとも重みが最も大きい携帯機１について起動信号の送信回数を重みの小さい携帯機１よりも増やすよう各携帯機毎の送信回数を設定すれば良い。
【００４０】
また、電気錠装置１０の制御部１５は、複数の携帯機１ａ…に対して起動信号を送信する送信順序を決定し、決定した送信順序をメモリ１２に登録する機能を備えており、送信順序決定手段として動作する。すなわち、電気錠装置１０の制御部１５では、アクセススイッチ１１からのトリガ入力があると、先ずグローバルＩＤを含む起動信号を送信し、この起動信号に応じた認証が成立しなければ、メモリ１２に固有ＩＤが登録された複数台の携帯機１ａ…に対して、所定の送信順序で送信対象の携帯機１の固有ＩＤを含む起動信号を無線通信部１３から送信させているので、起動信号の送信順序が固定されていると、反応の早い（認証に要する時間が短い）携帯機１と、反応の遅い携帯機１とができてしまう。そこで、制御部１５では、使用頻度の高い携帯機１ａ…から順番に起動信号を送信するように、送信順序の設定を変更しており、使い勝手の良いキーレスシステムとすることができる。
【００４１】
例えば図４（ａ）のように変更前の送信順序が携帯機１ａ→携帯機１ｂ→携帯機１ｃ→携帯機１ｄの場合に、電気錠装置１０が、トリガ入力に応じて図３に示す送信動作を行った結果、携帯機１ｃから識別情報が返送されて認証に成功した場合、電気錠装置１０の制御部１５では、前回認証時に識別情報を受信した携帯機１ｃを送信順序の１番目とし、その他の携帯機１ａ，１ｂ，１ｄについては前回の送信順序の早い順番に並べ替えるように送信順序を変更して、変更後の送信順序をメモリ１２に記憶させている。図４（ｂ）は変更後の送信順序を示し、携帯機１ｃ→携帯機１ａ→携帯機１ｂ→携帯機１ｄの順番となる。このように、送信順序設定手段としての制御部１５が、前回認証時（解錠時）に使用された携帯機１の送信順序を１番目とし、その他の携帯機１については前回の送信順序の早い順番に並べ替えているので、最近使用された携帯機１の送信順序を早い順番とすることによって、同じ携帯機１を続けて使用する場合には携帯機１の認証にかかる時間を短縮することができる。また、前回認証時に使用されたものとは異なる携帯機１が今回使用された場合でも、この携帯機１の送信順序が１番目に変更されるので、この携帯機１を次回以降も使用する場合は、次回以降認証にかかる時間を短縮することができる。
【００４２】
また、電気錠装置１０の制御部１５が、認証に成功した場合にその履歴情報（送信相手の携帯機１の固有ＩＤなど）をメモリ１２に記憶させておき、直前の複数回（例えば１０回分）の認証時において使用回数の最も多い携帯機１を送信順序の１番目とし、その他の携帯機１については前回の送信順序の早い順番に並べ替えるようにしても良い。このように、送信順序設定手段たる制御部１５が、最近、最も高い頻度で使用された携帯機１の送信順序を１番目に並べ替えることで、使用頻度の高い携帯機１を続けて使用する場合には携帯機１の認証にかかる時間を短縮することができる。また、認証に用いる携帯機１が１回変更されただけでは、起動信号の送信順序が変更されないので、例えば複数の利用者がそれぞれ携帯機１を所持している場合には、使用頻度の高い携帯機１の送信順序を早めて、認証にかかる時間を短縮することができる。
【００４３】
ところで、電気錠装置１０の制御部１５が、上述のように送信順序の変更を決定した場合、変更後の送信順序が１番目の携帯機１から所定回数連続して識別情報が返送されるまでは（つまり送信順序が１番目の携帯機１が所定回数連続して使用されるまでは）、送信順序が１番目の携帯機１への起動信号の送信回数を１回、２番目以降の携帯機１への送信回数を前回送信時の送信回数とし、送信順序が１番目の携帯機１から所定回数連続して識別情報が返送された場合は、各携帯機１への送信回数を各携帯機１の重みに基づいて設定した送信回数としても良く、送信順序が１番目となる携帯機１が頻繁に変更される場合には、送信順序が１番目の携帯機１に他の携帯機１に優先して起動信号を送信しつつ、送信順序が１番目の携帯機の送信回数を１回とすることで、２番目以降の携帯機１に起動信号が送信されるまでの時間を短縮できるという効果がある。
【００４４】
なお、電気錠装置１０の制御部１５が、上述のように送信順序の変更を決定した場合、変更後の送信順序が１番目の携帯機１から所定回数連続して識別情報が返送されるまでは（つまり送信順序が１番目の携帯機１が所定回数連続して使用されるまでは）、各携帯機１への起動信号の送信を１回ずつとし、送信順序が１番目の携帯機１から所定回数連続して識別情報が返送された場合は、各携帯機１への送信回数を各携帯機１の重みに基づいて設定した送信回数としても良く、送信順序が１番目となる携帯機１が頻繁に変更される場合には各携帯機１への送信回数が１回ずつに設定されるから、全ての携帯機１に偏り無く起動信号を送信することで、認証にかかる時間を短縮することができる。
【００４５】
なお、本発明の精神と範囲に反することなしに、広範に異なる実施形態を構成することができることは明白なので、この発明は、特定の実施形態に制約されるものではない。
【図面の簡単な説明】
【００４６】
【図１】本実施形態のシステム構成を示す概略ブロック図である。
【図２】（ａ）（ｂ）は同上の動作を説明するフロー図である。
【図３】同上の他の動作を説明するフロー図である。
【図４】（ａ）（ｂ）は同上の送信順序の設定方法を説明する説明図である。
【符号の説明】
【００４７】
１  携帯機
２  メモリ
３  無線通信部（第１の無線通信手段）
４  制御部（第１の通信制御手段）
１０  電気錠装置
１１  アクセススイッチ
１２  メモリ（記憶手段）
１３  無線通信部（第２の無線通信手段）
１４  ロック機構
１５  制御部（認証手段、第２の通信制御手段、送信回数設定手段）
【図１】
2008150836.tif 000005
【図２】
2008150836.tif 000006
【図３】
2008150836.tif 000007
【図４】
2008150836.tif 000008